(57)【要約】【課題】洗濯機本体の開閉蓋を開放する際、洗濯物の出し入れ途中に前記開閉蓋に無理な荷重がかかり、これにより、ヒンジ部材及び開閉蓋の耐久性を低下させる。【解決手段】ドラム式洗濯機において、開閉蓋５の開閉を行なうヒンジユニット５１はボディーパネル４１の環状部分に取り付けられるブラケット５１ａと、ブラケット５１ａに回転可能に連結され、ボディーパネル４１の内側に向かって屈曲している屈曲部５１ｂ１と、ボディーパネル４１に回転可能に連結されたヒンジアーム５１ｂとを備え、ブラケット５１ａは、連結部５１ａ１から延設されヒンジアーム５１ｂの回転軸となるシャフト５１ｃを取り付ける取り付け部５１ａ３と取り付け部５１ａ３より開口部側でかつ前方に突出し、ボディーパネル４１の枠状部分に近接するように設けたリブ５１ａ４を設け、上記の目的を達成する。【選択図】図７
2010207313.tif 000002
【特許請求の範囲】
【請求項１】
有底円筒形に形成された回転ドラムを、開口する正面側から底部となる背面側に向けて回転軸方向が水平方向から下向き傾斜もしくは水平となるようにして水槽内に設置し、洗濯機筐体の前部に設けた開閉蓋を開いて洗濯物を回転ドラムに収容しモータで回転ドラムを駆動することにより洗濯工程、すすぎ工程、脱水工程の少なくとも１つが行えるドラム式洗濯機において、
前記開閉蓋は、前記洗濯機筐体の前面を形成するボディーパネルから後部側に凹陥した凹陥部の底部に開口する出し入れ口を閉じるようにし、前記ボディーパネルは、前記凹陥部の前記前面への開口側を有した枠状部分と前記凹陥部の出し入れ口を有した底部側をなす環状部分とからなり、前記ボディーパネルの環状部分に取り付けられるブラケットと、前記ブラケットに回転可能に連結され、前記ボディーパネルの内側に向かって屈曲している屈曲部と、前記ボディーパネルの外部に引き出されるように前記屈曲部から前記ボディーパネルに対して垂直に連続的に延長され、前記ドアの開放方向に所定の曲率を有するようにカーブした板形部を備えると共に前記ボディーパネルに回転可能に連結されたヒンジアームとを備え、
前記ブラケットは、前記ボディーパネルに連結する連結部に前記ヒンジアームを通過させる案内スロットを形成し、前記連結部から延設され前記ヒンジアームの回転軸となるシャフトを取り付ける取り付け部と前記取り付け部より開口部側でかつ前方に突出し、前記ボディーパネルの枠状部分に近接するように設けたリブを備えたドラム式洗濯機。
【請求項２】
前記凹陥部は、環状のカバーパネルで覆って外装したことを特徴とするドラム式洗濯機。
【発明の詳細な説明】
【技術分野】
【０００１】
本発明は、有底円筒形に形成された回転ドラムを、開口する正面側から底部となる背面側に向けて回転軸方向が水平もしくは水平方向から下向き傾斜となるようにして水槽内に設置し、洗濯機筐体の前部に設けた開閉蓋を開いて洗濯物を回転ドラムに収容しモータで回転ドラムを駆動することにより洗濯工程、すすぎ工程、脱水工程の少なくとも１つが行えるドラム式洗濯機に関するものである。
【背景技術】
【０００２】
このようなドラム式洗濯機は、通常、開閉蓋が洗濯機筐体の前面に平行な姿勢で、前記前面から凹陥した凹陥部の底部に前記前面に平行に開口する出し入れ口を閉じるようにしている（例えば、特許文献１参照）。
【特許文献１】特開２００５−１４３７９４号公報
【発明の開示】
【発明が解決しようとする課題】
【０００３】
ところで、回転ドラムの開口端、洗濯機筐体の出しれ口、および開閉蓋は、従来から垂直方向から後傾している場合、洗濯物の出し入れや外部からの洗濯物の透視などに便利なことが知られている。また、洗濯機は洗濯機専用置場に置かれてあるため、特にドアの開閉に関しての制限はなく、洗濯機前面に対し開閉蓋が、垂直に開閉する程度での設計となっていた。しかし、このような設計思想は、ビルトイン使用したい場合の対象家具と揃う前面の垂直化の妨げになるともに、作業の際の利便性を考慮すると開閉蓋が、洗濯機前面にそう程度にまで開放されることを求められるようになってきた。
【０００４】
特許文献１は、前面が垂直なドラム式洗濯機を開示しているが、開閉蓋および出し入れ口が洗濯機筐体の前面に水平方向にする従来設計を踏襲して、洗濯機筐体の水平方向に垂直な前面に平行にしていることが原因し、洗濯物の出し入れや外部からの洗濯物の透視に不便なものとなる。
【０００５】
また、この従来の構成は、ヒンジ部材に設けられた一つの回転軸のみを中心に回転するため、前記開閉蓋は前記洗濯機本体対して所定の制限された角度にだけ開放される。したがって、実質的にユーザーが開閉蓋を開け、洗濯物を出し入れするのに不便である。また、洗濯物の出し入れ途中に前記開閉蓋に無理な力が加えられえられ、これにより、ヒンジ部材及び開閉蓋の耐久性を低下させる。
【０００６】
そこで、本発明の目的は、前記洗濯機本体に対してより大きな角度に開放される開閉蓋であってもその耐久性を確保できる洗濯機、及び乾燥機を提供することにある。
【課題を解決するための手段】
【０００７】
上記目的を達成するために本発明に係るドラム式洗濯機は、有底円筒形に形成された回転ドラムを、開口する正面側から底部となる背面側に向けて回転軸方向が水平方向から下向き傾斜もしくは水平となるようにして水槽内に設置し、洗濯機筐体の前部に設けた開閉蓋を開いて洗濯物を回転ドラムに収容しモータで回転ドラムを駆動することにより洗濯工程、すすぎ工程、脱水工程の少なくとも１つが行えるドラム式洗濯機において、前記開閉蓋は、前記洗濯機筐体の前面を形成するボディーパネルから後部側に凹陥した凹陥部の底部に開口する出し入れ口を閉じるようにし、前記ボディーパネルは、前記凹陥部の前記前面への開口側を有した枠状部分と前記凹陥部の出し入れ口を有した底部側をなす環状部分とからなり、前記ボディーパネルの環状部分に取り付けられるブラケットと、前記ブラケ
ットに回転可能に連結され、前記ボディーパネルの内側に向かって屈曲している屈曲部と、前記ボディーパネルの外部に引き出されるように前記屈曲部から前記ボディーパネルに対して垂直に連続的に延長され、前記ドアの開放方向に所定の曲率を有するようにカーブした板形部を備えると共に前記ボディーパネルに回転可能に連結されたヒンジアームとを備え、前記ブラケットは、前記ボディーパネルに連結する連結部に前記ヒンジアームを通過させる案内スロットを形成し、前記連結部から延設され前記ヒンジアームの回転軸となるシャフトを取り付ける取り付け部と前記取り付け部より開口部側でかつ前方に突出し、前記ボディーパネルの枠状部分に近接するように設けたリブを備えたことを特徴としている。
【０００８】
このような構成では、開閉蓋を開いて回転ドラムに洗濯物を投入したり、取り出しする際に、全開した開閉蓋を誤ってさらに押し開けたり、あるいは開閉蓋に寄りかかったりすることがある。こうした時には、開閉蓋に加えられた荷重はヒンジアームを介してブラケットとボディーパネルの環状部分に加えられ、最悪の場合ボディーパネルの環状部分が変形し、開閉不能となったり、ヒンジ部材及び開閉蓋の耐久性を低下させる。さらに開閉蓋がボディーパネルの枠状部分に当接し、開閉蓋の破損やボディーパネルの枠状部分の変形を引き起こしたりすることもある。しかしながら、開閉蓋が押し開けられブラケットとボディーパネルの環状部分に荷重が加わって、ブラケットが外側に倒れてきても、ブラケットに設けたリブがボディーパネルの枠状部分に当接し、ブラケットにそれ以上の変形を起こさせず、ボディーパネルに耐久不能な荷重をかけることがない。さらにこのリブはヒンジアームの回転軸となるシャフトを取り付ける取り付け部より開口部側でかつ前方に突出しているため、取り付け部からの荷重がボディーパネルの環状部分側とリブ側と前後して分散され、強度が確保される。
【０００９】
上記において、前記環状のボディーパネルは、前記開閉蓋の開閉に関与するヒンジユニットを前部から装備し、前記カバーパネルは前記凹陥部の前部から着脱できるように装着していることを特徴とすることができる。
【発明の効果】
【００１０】
本発明のドラム式洗濯機によれば、開閉蓋が強く押し開けられても、取り部からの荷重がボディーパネルの環状部分側とリブ側と前後して分散され、強度が確保される。
【発明を実施するための最良の形態】
【００１１】
第１の発明は、有底円筒形に形成された回転ドラムを、開口する正面側から底部となる背面側に向けて回転軸方向が水平方向から下向き傾斜もしくは水平となるようにして水槽内に設置し、洗濯機筐体の前部に設けた開閉蓋を開いて洗濯物を回転ドラムに収容しモータで回転ドラムを駆動することにより洗濯工程、すすぎ工程、脱水工程の少なくとも１つが行えるドラム式洗濯機において、
前記開閉蓋は、前記洗濯機筐体の前面を形成するボディーパネルから後部側に凹陥した凹陥部の底部に開口する出し入れ口を閉じるようにし、前記ボディーパネルは、前記凹陥部の前記前面への開口側を有した枠状部分と前記凹陥部の出し入れ口を有した底部側をなす環状部分とからなり、前記ボディーパネルの環状部分に取り付けられるブラケットと、前記ブラケットに回転可能に連結され、前記ボディーパネルの内側に向かって屈曲している屈曲部と、前記ボディーパネルの外部に引き出されるように前記屈曲部から前記ボディーパネルに対して垂直に連続的に延長され、前記ドアの開放方向に所定の曲率を有するようにカーブした板形部を備えると共に前記ボディーパネルに回転可能に連結されたヒンジアームとを備え、
前記ブラケットは、前記ボディーパネルに連結する連結部に前記ヒンジアームを通過させる案内スロットを形成し、前記連結部から延設され前記ヒンジアームの回転軸となるシャフトを取り付ける取り付け部と前記取り付け部より開口部側でかつ前方に突出し、前記ボ
ディーパネルの枠状部分に近接するように設けたリブを備えた攻勢である。
この構成により、開閉蓋を開いて回転ドラムに洗濯物を投入したり、取り出しする際に、全開した開閉蓋を誤ってさらに押し開けたり、あるいは開閉蓋に寄りかかったりすることがある。こうした時には、開閉蓋に加えられた荷重はヒンジアームを介してブラケットとボディーパネルの環状部分に加えられ、最悪の場合ボディーパネルの環状部分が変形し、開閉不能となったり、ヒンジ部材及び開閉蓋の耐久性を低下させる。さらに開閉蓋がボディーパネルの枠状部分に当接し、開閉蓋の破損やボディーパネルの枠状部分の変形を引き起こしたりすることもある。しかしながら、開閉蓋が押し開けられブラケットとボディーパネルの環状部分に荷重が加わって、ブラケットが外側に倒れてきても、ブラケットに設けたリブがボディーパネルの枠状部分に当接し、ブラケットにそれ以上の変形を起こさせず、ボディーパネルに耐久不能な荷重をかけることがない。さらにこのリブはヒンジアームの回転軸となるシャフトを取り付ける取り付け部より開口部側でかつ前方に突出しているため、取り付け部からの荷重がボディーパネルの環状部分側とリブ側と前後して分散され、強度が確保される。
【００１２】
第２の発明は、第１の発明に加え、前記凹陥部は、環状のカバーパネルで覆って外装した構成とし、ドラム式洗濯機の美観をそこなることなく耐久性を向上させる構成である。
【００１３】
以下本発明の実施の形態に係るドラム式洗濯機につき図１〜図７を参照しながら説明し、本発明の理解に供する。なお、以下の説明は本発明の具体例であって、特許請求の範囲の記載の内容を限定するものではない。
【００１４】
図１、図２に示す本実施の形態のドラム式洗濯機１は、図１に示すように、有底円筒形に形成された回転ドラム２を、開口する正面側から底部となる背面側に向けて回転軸２０の方向が水平方向から下向き傾斜となるようにして、サスペンションによりフローティング支持した水槽３内に設置し、洗濯機筐体４の前部に設けた開閉蓋５を開いて洗濯物を回転ドラム２に収容しモータ６で回転ドラム２を駆動することにより洗濯工程、すすぎ工程、脱水工程の少なくとも１つが行える。開閉蓋５は図１〜図３に示すように、洗濯物を外部から透視する透明なガラス板１１を嵌め付けた窓７を有した蓋本体８と、この蓋本体８の前面に当てがわれた前域または周辺を残した必要透視域を透明とした蓋カバー９とからなっている。蓋本体８は、蓋枠８ａがポリプロピレンで成形され、裏枠８ｂがさらに耐薬品性が高いポリプロピレンで成形されて、ガラス板１１をその周辺部で挟み込み、図３に示すようにねじ６６によりねじ固定している。蓋カバー９は透明なＡＢＳで成形されたものとしている。
【００１５】
ところで、本実施の形態のドラム式洗濯機１は、閉じた開閉蓋５は図１に示すように、回転ドラム２の開口端２ａと異なった角度で後部側に傾斜、従って後傾した関係とし、開閉蓋５が傾斜を持つことにより、洗濯物の出し入れ、洗濯、すすぎ、脱水に好適な十分な傾斜を持たせた回転ドラム２内の外部からの透視や、開閉蓋５設けた出し入れ口１２を通じた回転ドラム２に対する洗濯物の出し入れが特に不便にならないようにする。このために、水槽３の開口端３ａと閉じた開閉蓋５との間をシールする環状の窓パッキング１３が、特許文献１に記載の環状の窓パッキングのように、側面視テーパ形で断面形状、各断面部のボリュームが周方向に不同になるのでは、水槽３の開口端３ａで特に大きくなる振動的な外力を受けた時の負荷がボリュームの大きな局部に増幅して集中し早期損傷、早期破損の原因になる。
【００１６】
これに対応すべく、開閉蓋５と水槽３の開口端３ａとの間を周方向に断面およびボリュームがほぼ均等で耐久性に優れた環状の窓パッキング１３によってシールできるようにするのに、開閉蓋５が、閉じ状態で、図１に示すように、回転ドラム２の回転軸２０に直角な開口端２ａと異なった角度で傾斜する関係において、水槽３の開口端３ａは、回転ドラ
ム２の開口端２ａよりも前部側に突出して閉じた開閉蓋５とほぼ平行な傾斜にて対向し、これら開閉蓋５および水槽３の開口端３ａの間を前後端１３ａ、１３ｂ同士がほぼ平行な環状の窓パッキング１３にてシールするようにしている。これにより、開閉蓋５は洗濯物を回転ドラム２に収容した後に閉じることにより、回転ドラム２を回転させることで洗濯工程、すすぎ工程、脱水工程の少なくとも１つを行うのに、洗浄水、すすぎ水、脱水の飛沫などを外部に漏れ出るのを、水槽３の開口端３ａとの間をシールする環状の窓パッキング１３との間で阻止することができる。また、開閉蓋５と回転ドラム２の開口端２ａとは前記のような傾斜角度に違いによる特長を持ちながら、水槽３の開口端３ａは開閉蓋５と平行な傾斜を有してそれらの間を前後端１３ａ、１３ｂが平行な環状の窓パッキング１３によって前記シールができるようにするので、窓パッキング１３は断面形状および各断面部のボリュームが周方向に均等なものでよくなる。
【００１７】
以上の結果、回転ドラム２の開口端２ａと異なった角度で傾斜する開閉蓋５と、回転ドラム２を収容した水槽３の開口端３ａとの間をシールして、洗浄水、すすぎ水、脱水の飛沫などを外部に漏れ出るのを阻止する環状の窓パッキング１３が、開閉蓋５と水槽３の開口端３ａとをほぼ平行にしたことで、前後端１３ａ、１３ｂ同士がほぼ平行な形態にて前記シールができ、窓パッキング１３はその断面形状および各断面部のボリュームが周方向に均等なものとなるので、振れ動く水槽３の開口端３ａと停止している開閉蓋５との間で圧迫や変形力を周方向の変位を伴い繰り返し受けるときの負荷が周方向に均等化して局部に増幅して集中することはなく、早期に損傷したり破損したりせず長寿命化が実現する。
【００１８】
一方、前記開閉蓋５は、前記洗濯機筐体４の前面４ａを形成するボディーパネル４１から後部側に傾斜して、この前面４ａから凹陥した環状域である凹陥部４２の後部側に傾斜した底部に開口する出し入れ口１２を閉じる関係にある。このように、開閉蓋５および出し入れ口１２が洗濯機筐体４の前面４ａに対し後傾して位置するので、洗濯機筐体４の前面４ａの角度如何にかかわらず、回転ドラム２の傾斜姿勢と併せ、洗濯物の出し入れ、外部からの洗濯物の透視に便利であり、洗濯機筐体４の前面４ａの角度は水平方向に対する垂直、水平に対する開閉蓋、出入り口１２の後傾角未満までの後傾を含め自由に選択することができる。この結果、開閉蓋５および出し入れ口１２が洗濯機筐体４の前面４ａに対し後傾していて、洗濯機筐体４の前面４ａの角度にかかわらず、回転ドラム２の傾斜姿勢と併せ、洗濯物の出し入れ、外部からの洗濯物の透視に便利で使用しやすいものとなるし、洗濯機筐体４の前面４ａの角度は垂直、後傾を含めた選択の自由度が高まるので、各種用途や要求に対応しやすい。
【００１９】
しかし、垂直な前面４ａに対し開閉蓋５を内側に後傾させて設けるのに、開閉蓋５が出し入れ口１２を閉じる閉じ域およびそのまわりの図１、図６に示すような凹陥部４２が、その下部から上部に向けて、図１に示すようにボディーパネル４１がなす前面４ａから深く入り込んだ深絞り形状部になり、洗濯機筐体４および開閉蓋５などの付帯物支持に必要な強度を満足する厚さを持ったボディーパネル４１の成形が難しくコスト高になる。これに対応するのに、ボディーパネル４１は、凹陥部４２の前面４ａへの開口側を有した枠状のボディーパネル４１ａと、前記凹陥部４２の出し入れ口１２を有した底部側をなす環状のボディーパネル４１ｂとを一体化して形成し、前記凹陥部４２は、環状のカバーパネル４４で覆って外装している。これにより、ボディーパネル４１が形成する前面４ａから凹陥し、この前面４ａに対し後部側に傾斜した底部に出し入れ口１２を開口している凹陥部４２は、前面４ａからの深絞り形状部となっても、その開口側と底部側とが前記枠状のボディーパネル４１ａと環状のボディーパネル４１ｂとに分担して形成し一体化して得られるので、深絞り加工を回避して容易かつ低コストで実現する。しかも、凹陥部４２は前記両ボディーパネル４１ａ、４１ｂの一体化構造部を有しても、カバーパネル４４で覆うだけで外装し外観が整えられる。
【００２０】
さらに具体的には、出し入れ口１２は、図１、図２に示すような洗濯機筐体４の前面４ａの上下部分を除く範囲を形成する金属製のボディーパネル４１に形成し、環状のボディーパネル４１ｂとその周辺の枠状のボディーパネル４１ａとの一体化は各種溶接、かしめ、鋲止め、ねじ止めなど、どのようにもできるが、図示例では図６に示すようにスポット溶接部４３にて一体化している。この一体化のために、環状のボディーパネル４１ｂは、内周に前記窓パッキング１３と圧接するように後部側に向く環状膨らみ部４１ｂ１を前部側に溝をなして形成し、この環状膨らみ部から周辺に平坦に延びた後上部側で大きな曲面をなし下部側で屈曲して立ち上がる外周壁４１ｂ２を持って凹陥部４２の底部側をなし、この外周壁４１ｂ２の前端に外向きのフランジ部４１ｂ３を形成したものとし、枠状のボディーパネル４１ａは洗濯機筐体４の前面４ａ形成域に環状域４２の外周部に対応する凹陥周壁４１ａ１を形成して凹陥部４２の開口側をなし、この凹陥周壁４１ａ１の後端縁に前記フランジ部４１ｂ３に後方から当てがう内向きのフランジ部４１ａ２を形成したものとし、これらフランジ部４１ａ３、４１ａ２の重なり部を前記スポット溶接部４３が示す周方向複数個所でのスポット溶接に供するようにしている。
【００２１】
ここで、環状なボディーパネル４１ｂの左右一方の側に図６に示すヒンジユニット５１を前部側から当てがいねじ５２によりねじ止めして取り付け、このヒンジユニット５１によって開閉蓋５を開閉できるように支持し、他方の側に図３に示す開閉蓋５の係合片５ａをロック窓５３ａに受入れてロックし開閉蓋５を閉じ状態に係止する、蓋閉じ検知スイッチ付きの蓋ロック部５３、およびこれのロックを解除する蓋開きボタン５６を前部側から当てがいねじ５５、５７によってそれぞれねじ止めし装備している。
これらヒンジユニット５１は、環状なボディーパネル４１ｂに取り付けられるブラケット５１ａと、前記ブラケット５１ａに回転可能に前記環状なボディーパネル４１ｂの内側に向かって屈曲している屈曲部５１ｂ１と、前記環状なボディーパネル４１ｂの外部に引き出されるように前記屈曲部５１ｂ１から前記環状なボディーパネル４１ｂに対して垂直に連続的に延長され、前記ドアの開放方向に所定の曲率を有するようにカーブした板形部５１ｂ２を備えると共に、前記ボディーパネル４１ｂに回転可能に連結されたヒンジアーム５１ｂとを備え、前記ブラケット５１ａは、環状なボディーパネル４１ｂに連結する連結部５１ａ１に、ヒンジアーム５１ｂを通過させる案内スロット５１ａ２を形成し、連結部５１ａ１から延設されヒンジアーム５１ｂの回転軸となるシャフト５１ｃを取り付ける取り付け部５１ａ３とこの取り付け部５１ａ３より開口部側で前方に突出し、前記ボディーパネル４１ａのフランジ部４１ａ２に設けた切り欠き部４１ａ４に近接し、フランジ部４１ａ２より開口側まで延伸するように設けたリブ５１ａ４を一体に形成している。
【００２２】
さらに、枠状のボディーパネル４１ａは、図６に示すように、洗濯機筐体４の前面４ａを形成する矩形部は周壁４１ａ３を有した浅いボックス型で、このボックス型の上部に環状の凹陥周壁４１ａ２が前記環状域４２の幅寸法程度で丸く張り出した形状をなし、環状のボディーパネル４１ｂは厚く、枠状のボディーパネル４１ａは薄くした板厚の組み合わせで、それらボディーパネル４１ａ、４１ｂの前記重ねスポット溶接構造および立体形状が合わさって必要強度を満足し、面積の大きなボディーパネル４１ａの板厚を薄くできた分だけ洗濯機筐体４が軽量化し低コスト化する。
【産業上の利用可能性】
【００２３】
回転ドラムを傾斜して設置したドラム式洗濯機で、洗濯機筐体の前面に対し開閉蓋および出し入れ口が後傾した使用に便利なものとしながら、洗濯機筐体のヒンジ部材及び開閉蓋の耐久性を向上できる。
【図面の簡単な説明】
【００２４】
【図１】本発明の実施の形態に係るドラム式洗濯機の内部構造を示す断面図
【図２】同ドラム式洗濯機の正面側から見た外観の斜視図
【図３】同ドラム式洗濯機の出し入れ口を持ったボディーパネル出し入れ口を開いた状態の開閉蓋とをヒンジユニットで連結した状態で示す一部斜視図
【図４】同ドラム式洗濯機の開閉蓋を取り外した状態で示す要部の正面図
【図５】同ドラム式洗濯機の開閉蓋を取り外し、さらにカバーパネルをはずした状態で示す要部の一部斜視図
【図６】同ドラム洗濯機のボディーパネルの組み合わせ構造を示す正面図
【図７】同ドラム式洗濯機の開閉蓋を取り外した状態でヒンジユニット周辺部の要部の断面図
【符号の説明】
【００２５】
１  洗濯機本体
２  回転ドラム
２ａ  開口端
３  水槽
３ａ  開口端
４  洗濯機筐体
４ａ  前面
５  開閉蓋
６  モータ
７  窓
１２  出入り口
１３  窓パッキング
２０  回転軸
４１  ボディーパネル
４１ａ  凹陥部開口側の枠状のボディーパネル
４１ａ２、４１ｂ３  フランジ部
４１ａ４  切り欠き部
４１ｂ  凹陥部底部側の環状のボディーパネル
４２  凹陥部
４３  スポット溶接部
４４  カバーパネル
４４ａ、５８ａ  対向縁
４５  ねじ
５１  ヒンジユニット
５１ａ  ブラケット
５１ａ１  連結部
５１ａ２  案内スロット
５１ａ３  取り付け部
５１ａ４  リブ
５１ｂ  ヒンジアーム
５１ｂ１  屈曲部
５１ｂ２  板金部
５１ｃ  シャフト
５２  ねじ
５３  蓋閉じ検出スイッチ付き蓋ロック部
５５  ねじ
５４  蓋開きボタン
５７  ねじ
【図１】
2010207313.tif 000003
【図２】
2010207313.tif 000004
【図３】
2010207313.tif 000005
【図４】
2010207313.tif 000006
【図５】
2010207313.tif 000007
【図６】
2010207313.tif 000008
【図７】
2010207313.tif 000009